(57)【要約】【課題】廃棄される離型シートが１枚のみであって、しかも、離型シートの剥離作業を行い易い粘着シートを提供する。【解決手段】粘着面１０ａを１枚の離型シート２０で覆ってなる粘着シート。離型シート２０は、粘着シートの側辺１１に沿う領域部分が折り畳まれていて、当該折り畳まれた領域部分は、第１および第２の折畳部を含む。第１折畳部２５は、側辺１１から離れる方向へと離型シート２０上に折り畳まれていて、第２折畳部２６は、側辺１１に向かう方向へと第１折畳部２５上に折り畳まれている。第１折畳部２５および第２折畳部２６は、粘着シートの粘着面１０ａに粘着されておらずフリーな状態となっているので、使用者は、この部分を摘んで簡単に離型シート２０を捲り取ることができる。【選択図】図２
2007215829.tif 000002
【特許請求の範囲】
【請求項１】
粘着面（１０ａ）を１枚の離型シート（２０）で覆ってなる粘着シートであって、
離型シート（２０）は、粘着シートの側辺に沿う領域部分が折り畳まれていて、
当該折り畳まれた領域部分は、上記側辺から離れる方向へと離型シート（２０）上に折り畳まれた第１折畳部（２５）と、上記側辺に向かう方向へと第１折畳部（２５）上に折り畳まれた第２折畳部（２６）と、を含むことを特徴とする、粘着シート。
【請求項２】
直角に交差する第１辺（１１）および第２辺（１２）を含む矩形形状をなす、請求項１記載の粘着シートであって、
上記離型シート（２０）の第２折畳部（２６）は、その端縁（２６ａ）が粘着シートの第１辺（１１）に重なって延在していることを特徴とする、粘着シート。
【請求項３】
上記離型シート（２０）と第１折畳部（２５）との境界をなす折畳線（２５ａ）が、粘着シートの第１辺（１１）よりも内側で延在していることを特徴とする、請求項２記載の粘着シート。
【発明の詳細な説明】
【技術分野】
【０００１】
本発明は、粘着面に離型シートを備えてなる、救急絆創膏や外用貼付剤等の粘着シートに関する。
【背景技術】
【０００２】
上記粘着シートは、使用時に離型シートを引き剥がして粘着面を露出させ、これを患部に貼り付ける。その際、粘着面が単に１枚の離型シートで覆われていると捲り難いので、粘着面の中央でオーバーラップする２枚の離型シートを設けて、離型シートを捲り易く構成したものが知られている（特許文献１）。
【０００３】
ところで、離型シートは粘着面から引き剥がされた後で廃棄されるものであるが、２枚の離型シートを備える粘着シートの場合、引き剥がした後では、別々に分離した２枚の離型シートが存在することとなるので、これを廃棄するのが面倒であったり、手間取ったりするといった問題がある。
【０００４】
【特許文献１】特開２００２−６５７２６号公報
【発明の開示】
【発明が解決しようとする課題】
【０００５】
上記従来の事情に鑑み、本発明の目的は、廃棄される離型シートが１枚のみであって、しかも、離型シートの剥離作業を行い易い粘着シートを提供することである。
【課題を解決するための手段】
【０００６】
本発明は、上記要望に応えるべく創案されたものであって、以下の特徴を備えた粘着シートを提供するものである。
すなわち、本発明の粘着シートは、粘着面を１枚の離型シートで覆ってなる。離型シートは、粘着シートの側辺に沿う領域部分が折り畳まれていて、当該折り畳まれた領域部分は、「上記側辺から離れる方向へと離型シート上に折り畳まれた第１折畳部」と「上記側辺に向かう方向へと第１折畳部上に折り畳まれた第２折畳部」とを含んでいる。
【発明の効果】
【０００７】
本発明の粘着シートにおいては、粘着面を覆う離型シートが１枚のみであるため、当該離型シートを捲り取った後における廃棄作業が簡単となる。
一方、離型シートの上記折り畳まれた領域部分においては、第１折畳部および第２折畳部が粘着シートの粘着面からフリーな状態（粘着されていない）となっているので、使用者は、この部分を摘んで、簡単に離型シートを捲り取ることができる。
【発明を実施するための最良の形態】
【０００８】
本発明の実施形態を、添付の図面を参照して、以下に詳細に説明する。図１は、本発明の一実施形態に係る粘着シート１０を真上から見た平面図である。図２は、折畳領域部を摘んで、離型シート２０を捲り取っている状態を示す斜視図である。
【０００９】
粘着シート１０は、その片面が薬剤等を含有する粘着面１０ａとされている。本発明においては、この粘着面１０ａを１枚のフィルム状の離型シート２０で覆っている。離型シート２０が１枚のみであるから、これを捲り取った後での廃棄が簡単かつ便利なものとなる。
【００１０】
なお、粘着シートおよび薬剤等は一般的に知られたものであり、離型シート２０についても、それ自体は、ポリプロピレン等の材料から製造される一般的なものである。
【００１１】
粘着シート１０は、直交する第１辺１１および第２辺１２を含む矩形形状をなしている。離型シート２０は、粘着シート１０とほぼ同一の外形を有していて、粘着シート１０の第１辺１１に沿う領域が折り畳まれている。この折畳領域部は、使用者がここを摘んで離型シート２０を簡単に捲り取ることができるよう、設けられたものである。
【００１２】
図３は、図１の粘着シートの側面図であって、離型シート２０の片側に設けた折畳領域部における折畳み構造を部分的に拡大して示している。図３中において、楕円枠Ａ内に示した部分拡大図は、図１および図２に示した粘着シート１０に対応している。
楕円枠Ｂ内には、別の実施形態を示している。
【００１３】
≪楕円枠Ａ内に示した実施形態≫
第１折畳部２５は、折畳線２５ａに沿って、粘着シートの第１辺１１から離れる方向へと離型シート２０上に折り畳まれている。反対に、第２折畳部２６は、折畳線２５ｂに沿って、第１辺１１に向かう方向へと第１折畳部２５上に折り畳まれている。
すなわち、離型シート２０およびその端部に設けた折畳領域部は、全体が１枚のシート材で構成されていて、折畳線２５ａと２５ｂとの間に挟まれた領域が第１折畳部２５で、これに折畳線２５ｂを介して第２折畳部２６が連設された構成となっている。
【００１４】
第１折畳部２５および第２折畳部２６は、いずれも、粘着シート１０の粘着面に対してフリーな状態（粘着されていない）にあるので、この部分を簡単に摘み上げることができる。したがって、離型シート２０は、この部分から簡単に捲り取ることができる。
【００１５】
なお、第２折畳部２６の端縁２６ａは、粘着シートの第１辺１１に重なって延在している。したがって、図１においては、粘着シート１０の第１辺１１は、離型シート２０の第２折畳部２６の端縁２６ａと重なって現れる。
必ずしも、第２折畳部２６の端縁２６ａを、粘着シートの第１辺１１に重なるよう配置する必要はないが、このような構成を採用すると、製造ラインにおいて、「粘着シートを構成する基材」と「離型シートを構成する基材（折り畳まれた状態にある）」とを、重ねた状態で切断工程に送って、個々の粘着シートへと効率よく裁断できる。
【００１６】
≪楕円枠Ｂ内に示した例との比較≫
楕円枠Ａ内に示した上記実施形態では、第１折畳部２５の折畳線２５ａを、粘着シートの第１辺１１よりも内側（図３中右側）にズレた位置に延在させている。それに対して、楕円枠Ｂ内に示した実施形態のように、折畳部２５ａを、粘着シートの第１辺１１と重なる位置に配置することも可能である。しかし、楕円枠Ａ内に示した実施形態のように、折畳線２５ａを内側にズラして配置することで、次のようなメリットが得られる。
すなわち、もし仮に、折畳線２５ａを第１辺１１に沿って配置すると、製造ライン中での第１辺１１に沿う切断工程において、当該折畳線２５ａの位置で離型シート２０が切断され得る。そこで、これを防止するために、折畳線２５ａを、粘着シートの第１辺１１よりも内側（図３中右側）にズレた位置で延在させることが好ましい。
【００１７】
≪粘着シートの形状≫
図示した粘着シート１０は、直交する２辺１１、１２を含む矩形形状としているが、本発明においては、粘着シート１０の形状は、矩形以外にも、円形、楕円形、多角形、その他任意のものを採用できる。ただ、矩形形状の粘着シート１０は、製造ラインにおいて大量生産するのに適した形状である。
粘着シートおよび離型シートが矩形以外の形状をなしている場合においても、粘着シートの側片に沿う離型シート部分に折畳領域を設ければ、図示した実施形態と同様に、その部分を摘んで簡単に離型シートを捲り取ることができる。
【図面の簡単な説明】
【００１８】
【図１】本発明の一実施形態に係る粘着シートを真上から示す平面図。
【図２】図１の粘着シートの使用方法を説明する斜視図。
【図３】図１の粘着シートの部分拡大側面図。
【符号の説明】
【００１９】
１０  粘着シート
１０ａ  粘着面
１１  粘着シートの第１辺
１２  粘着シートの第２辺
２０  離型シート
２５  第１折畳部
２５ａ、２５ｂ  折畳線
２６  第２折畳部
２６ａ  第２折畳部の端縁
【図１】
2007215829.tif 000003
【図２】
2007215829.tif 000004
【図３】
2007215829.tif 000005